(57)【要約】【課題】横形圧縮機の始動時及び運転時の振動を低減することができ、また小型化が図れる横形圧縮機の支持装置を提供する。【解決手段】本横形圧縮機の支持装置は、電動圧縮機部５が横方向に収納された密閉容器２に固着された支持脚１２とこの支持脚１２に係合する複数のアキュムレータ側防振部材１３ａと反アキュムレータ側防振部材１３ｂを有し、密閉容器２の中心線Ｌｃ方向から見て、アキュムレータ側防振部材１３ａと反アキュムレータ側防振部材１３ｂ間の中心は、中心線Ｌｃからアキュムレータ６の方向に偏倚して配置される。複数の防振部材１３ｂはその中心が前記中心線Ｌｃからアキュムレータ５の方向に偏倚して配置される。【選択図】  図１
2005083269.tif 000002
【特許請求の範囲】
【請求項１】
密閉容器内に電動圧縮機部がその軸線を略水平に配置して収納され、前記密閉容器の側面に一体にアキュムレータが取付けられた横形圧縮機の支持装置において、前記支持装置は密閉容器に固着された支持脚とこの支持脚に係合し前記アキュムレータ側及び反アキュムレータ側に設けられた防振部材を有し、前記密閉容器の中心を垂直に通る中心線方向から見て、前記アキュムレータ側防振部材と前記反アキュムレータ側防振部材間の中心は、前記中心線から前記アキュムレータの方向に偏倚して配置されることを特徴とする横形圧縮機の支持装置。
【請求項２】
前記支持脚の長手方向の中心は、前記密閉容器の中心線から前記アキュムレータの方向に偏倚して設けられていることを特徴とする請求項１の横形圧縮機の支持装置。
【請求項３】
前記アキュムレータ側及び反アキュムレータ側に設けられた防振部材の中心と電動圧縮機部が収納された密閉容器及びアキュムレータの重心を垂直に通る重心線間の距離は、等しいことを特徴とする請求項１または２に記載の横形圧縮機の支持装置。
【発明の詳細な説明】
【技術分野】
【０００１】
本発明は横形圧縮機の支持装置に係わり、特に反アキュムレータ側防振部材はその中心がアキュムレータの方向に偏倚して配置された横形圧縮機の支持装置に関する。
【背景技術】
【０００２】
従来、横形圧縮機の支持装置は、圧縮機のセンターに取付けられており、また防振装置はバネのバネ定数を変えることにより、始動時及び起動時の振動の低減を図っていた(特許文献１)。
【０００３】
しかしながら、特許文献１に記載の支持装置は、重心が圧縮機センターから若干アキュムレータ側にあるため横形圧縮機の振動が大きく、また、横形用脚が圧縮機センターに取付けてあるため反アキュムレータ側に脚が出っ張ることにより横形圧縮機の小型化が実現できないという問題があった。
【特許文献１】特開平３−１３４２６９号公報（第２頁左欄第１行〜第７行、同頁右欄第１８行〜第２６行、第５図）
【発明の開示】
【発明が解決しようとする課題】
【０００４】
本発明は上述した事情を考慮してなされたもので、横形圧縮機の始動時及び運転時の振動を低減することができ、また小型化が図れる横形圧縮機の支持装置を提供することを目的とする。
【課題を解決するための手段】
【０００５】
上記目的を達成するため、本発明の１つの態様によれば、密閉容器内に電動圧縮機部がその軸線を略水平に配置して収納され、前記密閉容器の側面に一体にアキュムレータが取付けられた横形圧縮機の支持装置において、前記支持装置は密閉容器に固着された支持脚とこの支持脚に係合し前記アキュムレータ側及び反アキュムレータ側に設けられた防振部材を有し、前記密閉容器の中心を垂直に通る中心線方向から見て、前記アキュムレータ側防振部材と前記反アキュムレータ側防振部材間の中心は、前記中心線から前記アキュムレータの方向に偏倚して配置されることを特徴とする横形圧縮機の支持装置が提供される。これにより、横形圧縮機の始動時及び運転時の振動を低減することができ、また小型化が図れる横形圧縮機の支持装置が実現される。
【０００６】
好適な一例では、前記支持脚の長手方向の中心は、前記密閉容器の中心線から前記アキュムレータの方向に偏倚して設けられる。これにより、反アキュムレータ側防振部材をその中心が中心線からアキュムレータの方向に容易に偏倚して配置できる。
【０００７】
また、他の好適な一例では、前記アキュムレータ側及び反アキュムレータ側に設けられた防振部材の中心と電動圧縮機部が収納された密閉容器及びアキュムレータの重心を垂直に通る重心線間の距離は、等しい。
【発明の効果】
【０００８】
本発明に係わる横形圧縮機の支持装置によれば、横形圧縮機の始動時及び運転時の振動を低減することができ、また小型化が図れる横形圧縮機の支持装置を提供することができる。
【発明を実施するための最良の形態】
【０００９】
以下、本発明に係わる横形圧縮機の支持装置の一実施形態について添付図面を参照して説明する。
【００１０】
図１は本発明に係わる横形圧縮機の支持装置が用いられた横形ロータリ圧縮機の一実施形態の側面図であり、図２はその縦断面図である。
【００１１】
図１及び図２に示すように、本発明に係わる横形圧縮機の支持装置が用いられた横形圧縮機例えば横型ロータリ圧縮機１は、密閉容器２を有し、この密閉容器２内には電動機部３と圧縮要素４からなる電動圧縮機部５がその軸線Ｊを略水平に配置して収納されており、さらに、密閉容器２の側面２ａに一体にアキュムレータ６が取付けられ、さらに、密閉容器２の底部２ｂには本発明に係わる一対の支持装置１１が設けられている。
【００１２】
アキュムレータ６は吸込管６ａ及び取付部材６ｂにより、密閉容器２の側面２ａに取付けられており、電動圧縮機部５が収納された密閉容器２及びアキュムレータ６の総重量の重心（以下、重心という。）を垂直に通る重心線Ｌｇと密閉容器２の中心を垂直に通る中心線Ｌｃはずれる。
【００１３】
この支持装置１１は、密閉容器２の底部２ｂの前後方向に２個設けられ、一体的に設けられた支持部材１２ｓを介して密閉容器２に固着された支持脚１２と、この支持脚１２に係合する複数、例えばアキュムレータ側防振部材１３ａと反アキュムレータ側防振部材１３ｂの２個を有している。
【００１４】
図３及び図４に示すように、支持脚１２は長尺状で両長辺に立上を有し、両端近傍には、アキュムレータ側防振部材取付孔１２ａ、反アキュムレータ側防振部材取付孔１２ｂが設けられている。また、支持脚１２の長さの中心は、中心線Ｌｃからアキュムレータ５の方向に偏倚して設けられ、重心線Ｌｇ上になるようになっている。重心線Ｌｇと中心線Ｌｃは距離Ｘ３だけずれるため、アキュムレータ側防振部材取付孔１２ａの中心と重心線Ｌｇ間の距離Ｘ１は、反アキュムレータ側防振部材取付孔１２ｂの中心と重心線Ｌｇ間の距離Ｘ２と等しくなっているが、反アキュムレータ側防振部材取付孔１２ｂの中心と中心線Ｌｃ間の距離は、アキュムレータ側防振部材取付孔１２ａの中心と中心線Ｌｃ間の距離に比べて、Ｘ３だけ短くなっている。なお、図５及び図６に示すように、支持脚１２に一体的に取付けられた支持部材１２ｓは、取付孔１２ｓ１が設けられ、側面視略台形形状をなしている。
【００１５】
従って、図１に示すように、重心線Ｌｇと中心線Ｌｃは距離Ｘ３だけずれるため、アキュムレータ側防振部材取付孔１２ａに弾性係合されるアキュムレータ側防振部材１３ａの中心と重心線Ｌｇ間の距離Ｘ１は、反アキュムレータ側防振部材取付孔１２ｂに弾性係合される反アキュムレータ側防振部材１３ｂの中心と重心線Ｌｇ間の距離Ｘ２と等しくするには、反アキュムレータ側防振部材１３ｂの中心は、密閉容器２の中心線Ｌｃ方向から見て、中心線Ｌｃからアキュムレータ５の方向にＸ３だけ偏倚して配置される。これにより、横型ロータリ圧縮機１は重心線Ｌｇに等距離に配置された防振部材１３ａ、１３ｂにより弾性支持される。
【００１６】
また、横型ロータリ圧縮機１は、図１に示すように、一点鎖線で示す従来の横型ロータリ圧縮機の幅寸法がＸ４＋Ｘ３であったのに対して、反アキュムレータ側防振部材１３ｂの中心はアキュムレータ５の方向にＸ３だけ偏倚されるので、平面視その幅寸法がＸ４となり、Ｘ３分だけ小型になる。
【００１７】
本実施形態の横形圧縮機の支持装置は、電動圧縮機部５の運転により横型ロータリ圧縮機１は振動するが、重心線Ｌｇに等距離に配置された防振部材１３ａ、１３ｂにより弾性支持されているので、防振部材１３ａ、１３ｂに加わる力が均一になり、低振動化が図れる。
【００１８】
なお、上記実施形態では、図５及び図６に示すように側面視略台形形状をなす支持部材１２ａを用いた例で説明したが、図７に示すように中心線Ｌｃとその中心が距離Ｘ３だけずれ、重心線Ｌｇ上に位置するように形成され変形台形状をなす支持部材１２Ａａを用いて、横型ロータリ圧縮機１を支持するようにしても同様の効果が期待できる。
【図面の簡単な説明】
【００１９】
【図１】本発明に係わる横形圧縮機の支持装置が用いられた横形圧縮機の一実施形態の側面図。
【図２】本発明に係わる横形圧縮機の支持装置が用いられた横形圧縮機の一実施形態の縦断面図。
【図３】本発明に係わる横形圧縮機の支持装置に用いられる支持脚の平面図。
【図４】本発明に係わる横形圧縮機の支持装置に用いられる支持脚の側面図。
【図５】本発明に係わる横形圧縮機の支持装置に用いられる支持部材の平面図。
【図６】本発明に係わる横形圧縮機の支持装置に用いられる支持部材の側面図。
【図７】本発明に係わる横形圧縮機の支持装置が用いられた横形圧縮機の他の実施形態の側面図。
【符号の説明】
【００２０】
１…横型ロータリ圧縮機、２…密閉容器、３…電動機部、４…圧縮要素、５…電動圧縮機部、６…アキュムレータ、１１…支持装置、１２…支持脚、１３ａ…アキュムレータ側防振部材、１３ｂ…反アキュムレータ側防振部材、Ｌｇ…重心線、Ｌｃ…中心線。
【図１】
2005083269.tif 000003
【図２】
2005083269.tif 000004
【図３】
2005083269.tif 000005
【図４】
2005083269.tif 000006
【図５】
2005083269.tif 000007
【図６】
2005083269.tif 000008
【図７】
2005083269.tif 000009